(57)【要約】【課題】普通のディスプレイは、棚に平積みにしている。それよりも、目立つ面を斜めにした方が、注目を集めることができる。それをするためには、箱をたてかける構造の棚を用意する等の必要があった。しかし、そうすると、斜面に配置することが出来ない物を展示することが出来ず、同種類の商品しか展示することができないという問題があった。【解決手段】上記課題を解決するために本発明において、以下のディスプレイ兼用箱を提供する。すなわち、第一の発明として、矩形状箱本体と、二つの側面のそれぞれに切込みを一組以上設けた木材の蓋とからなり、蓋に設けられた各切込みと箱本体側面とを略三点支持にてそれぞれ接触させて箱本体を傾斜させて立てかけて箱本体内の対象物を視認可能とするディスプレイ兼用箱を提供する。【選択図】図１
2019069802.tif 000002
【特許請求の範囲】
【請求項１】
矩形状箱本体と、二つの側面のそれぞれに切込みを一組以上設けた木材の蓋とからなり、蓋に設けられた各切込みと箱本体側面とを略三点支持にてそれぞれ接触させて箱本体を傾斜させて立てかけて箱本体内の対象物を視認可能とするディスプレイ兼用箱。
【請求項２】
二つの側面は対向する側面である請求項１に記載のディスプレイ兼用箱。
【請求項３】
前記切込みはコの字状の切込みである請求項１又は請求項２に記載のディスプレイ兼用箱。
【請求項４】
前記切込みは立てかけられた箱本体の側面線が箱本体が立てかけられていない蓋の側面線と平行関係になるように設けられている請求項１から請求項３のいずれか一に記載のディスプレイ兼用箱。
【請求項５】
箱本体に入れられてディスプレイされる対象物を保護するための透明プラスティックカバーであって、少なくとも箱本体と着脱するためのつまみと、自身を箱本体に係止するための折り曲げ辺であって、箱本体に挿入された場合に箱本体内側面に付勢される折り曲げ辺を有するプラスティックカバーをさらに有する請求項１から請求項４に記載のディスプレイ兼用箱。
【請求項６】
箱本体は開口が内側面側に突設縁を有し、蓋は、内側面が突設縁の外側面側と接触することで閉じられるように構成される請求項１から請求項５のいずれか一に記載のディスプレイ兼用箱。
【請求項７】
前記突設縁によって蓋に設けられた切込みの少なくとも一部は閉鎖される請求項６に記載のディスプレイ兼用箱。
【発明の詳細な説明】
【技術分野】
【０００１】
本発明は、対象物を収めるための箱を用いて、箱に収めた状態の対象物を効果的に展示することが可能なディスプレイ兼用箱に関するものである。
【背景技術】
【０００２】
店舗等で商品をディスプレイする方法として、商品を陳列棚に並べて展示する方法が知られている。陳列棚の場合には、同一の商品を複数個、陳列棚の一定の区域に並べることで展示する。
【先行技術文献】
【非特許文献】
【０００３】
【非特許文献１】http://www.tana-ya.com/file/11/dsc0928.jpg  有限会社愛知ディスプレイ製作所  ザ・タナ屋ホームページ内の商品「HSR- JA 2段平台ワゴン ストッカー付き （奥行780）    無塗装」に関する商品例として掲載されている。
【発明の概要】
【発明が解決しようとする課題】
【０００４】
普通のディスプレイは、棚に平積みにしている。それよりも、目立つ面を斜めにした方が、注目を集めることができる。それをするためには、箱をたてかける構造の棚を用意する等の必要があった。しかし、そうすると、斜面に配置することが出来ない物を展示することが出来ず、同種類の商品しか展示することができないという問題があった。
【課題を解決するための手段】
【０００５】
上記課題を解決するために本発明において、以下のディスプレイ兼用箱を提供する。すなわち、第一の発明として、矩形状箱本体と、二つの側面のそれぞれに切込みを一組以上設けた木材の蓋とからなり、蓋に設けられた各切込みと箱本体側面とを略三点支持にてそれぞれ接触させて箱本体を傾斜させて立てかけて箱本体内の対象物を視認可能とするディスプレイ兼用箱を提供する。
【０００６】
また、第二の発明として、二つの側面は対向する側面である請求項１に記載のディスプレイ兼用箱を提供する。
【０００７】
また、第三の発明として、前記切込みはコの字状の切込みである請求項１又は請求項２に記載のディスプレイ兼用箱を提供する。
【０００８】
また、第四の発明として、前記切込みは立てかけられた箱本体の側面線が箱本体が立てかけられていない蓋の側面線と平行関係になるように設けられている請求項１から請求項３のいずれか一に記載のディスプレイ兼用箱を提供する。
【０００９】
また、第五の発明として、箱本体に入れられてディスプレイされる対象物を保護するための透明プラスティックカバーであって、少なくとも箱本体と着脱するためのつまみと、自身を箱本体に係止するための折り曲げ辺であって、箱本体に挿入された場合に箱本体内側面に付勢される折り曲げ辺を有するプラスティックカバーをさらに有する請求項１から請求項４に記載のディスプレイ兼用箱を提供する。
【００１０】
また、第六の発明として、箱本体は開口が内側面側に突設縁を有し、蓋は、内側面が突設縁の外側面側と接触することで閉じられるように構成される請求項１から請求項５のいずれか一に記載のディスプレイ兼用箱を提供する。
【００１１】
また、第七の発明として、前記突設縁によって蓋に設けられた切込みの少なくとも一部は閉鎖される請求項６に記載のディスプレイ兼用箱を提供する。
【発明の効果】
【００１２】
本発明により、従来の展示にも用いることが可能であった商品収納箱とは異なり、展示に美的感得性と永続性を兼ね備えた、商品の購入後に自宅でも展示用として利用することが可能なディスプレイ兼用箱を提供することができる。
【図面の簡単な説明】
【００１３】
【図１】実施形態１における、ディスプレイ兼用箱の、箱本体を蓋の切込みに立てかけている状態の一例を示す斜視図
【図２】実施形態１における、ディスプレイ兼用箱の、開いた状態の箱本体と蓋の図
【図３】実施形態１における、ディスプレイ兼用箱の、箱本体を蓋の切込みに立てかけている状態の一例を示す斜視図
【図４】実施形態１における、ディスプレイ兼用箱の、箱本体を蓋の切込みに立てかけている部分の三点支持の状態を示す概念図
【図５】実施形態１における、ディスプレイ兼用箱の、切込みのバリエーションの一例を示す図
【図６】実施形態５における、ディスプレイ兼用箱の、箱本体の対象物収納領域にプラスティックカバーをはめた状態の一例を示す図
【図７】実施形態５における、ディスプレイ兼用箱の、箱本体の対象物収納領域にはめるプラスティックカバーの一例を示す図
【図８】実施形態６における、ディスプレイ兼用箱の、箱として閉じられている状態の概念透視図及び概念断面図
【図９】実施形態７における、ディスプレイ兼用箱の、蓋を閉じた状態の切込み部分の状態の一例を示す図
【発明を実施するための形態】
【００１４】
以下、本発明の実施の形態について、添付図面を用いて説明する。実施形態１は請求項１に、実施形態２は請求項２に、実施形態３は請求項３に、実施形態４は請求項４に、実施形態５は請求項５に、実施形態６は請求項６に、実施形態７は請求項７に、それぞれ対応する。なお、本発明は、これら実施形態になんら限定されるべきものではなく、その要旨を逸脱しない範囲において、種々なる態様で実施し得る。
【００１５】
＜実施形態１＞
＜実施形態１  概要＞
本実施形態における発明は、図１に示すように、箱本体（０１０２）を箱の蓋（０１０３）に立てかけることによって、対象物収納領域（０１０４）に収められている物を展示することができる、ディスプレイ兼用箱（０１０１）についての発明である。
【００１６】
＜実施形態１  発明の構成＞
図２は、本実施形態のディスプレイ兼用箱の箱と蓋を開いた状態を示す図である。本実施形態のディスプレイ兼用箱は、箱本体（０２０１）と、切込みのある蓋（０２０２）と、からなる。
【００１７】
＜実施形態１  箱本体＞
「箱本体」は、矩形状の箱であることが好ましいが、実際には、矩形状に限らず、直線で構成される開口を有していればよい。箱本体は、対象物が収納されている方をさす。箱本体は、展示中はディスプレイとして機能する部分である。後述するように、箱本体に蓋をかぶせて収納している状態の対象物を、特に入れ直したり固定し直したりすることなく、ディスプレイすることが可能なように、収納時に対象物を固定しておけるように構成されていることが好ましい。
【００１８】
＜実施形態１  切込のある蓋＞
「切込みのある蓋」は、二つの側面のそれぞれに切込み（０２０３）を一組以上設けた木材の蓋である。蓋の切込みに箱本体を立てかけて、各切込みと箱本体側面とを略三点支持にてそれぞれ接触させて箱本体を傾斜させて立てかけて箱本体内の対象物を視認可能とする。
切込のある蓋は、木でできていることから、切込み部分に圧力がかかることでひびが入ったり亀裂が入ったりすることを避けるために、ゆとりのある切込み部分に箱本体を略三点支持によって立てかける構成をとっている。しかし、これが紙の箱のような場合には、紙は柔らかい素材であって、切込み部分にゆとりを持たせなくでも破れることはないので、略三点支持の構成にする必要はない。
箱本体と、切込みのある蓋は、それぞれ異なる素材によって構成することが可能であるが、異なる素材を用いる場合には、切込み部分に負荷がかかり割れやすいので、切込みを入れる蓋側の素材の方が衝撃吸収性の高い柔らかい素材になるように構成することが好ましい。切込のある蓋（又は／及び箱本体）を構成する木材は、具体的には、例えば桐、バルサ、メープル、チーク、ウォルナット、マホガニー、チェリー、胡桃、楢、桜、ブナ、栗、タモ、パイン、ホウ、等の素材があげられる。
【００１９】
＜切込み＞
「切込み」（０２０３）は、蓋の二つの側面のそれぞれに設けられている。切込は、対面するように配置されている必要はなく、例えば、短辺と長辺にそれぞれ一つずつ配置して、箱本体に蓋を立てかけた時に、蓋の各辺に対して箱本体の各辺が平行にはならないように構成していてもよい。切込みが、箱本体を支えることで、箱本体と蓋を用いてディスプレイをすることが可能となる。
切込みの大きさは、箱本体の側片の厚さによって変動するが、例えば、例えば図２に示すように、短辺（ａ）が約１１．５センチで、長辺（ｂ）が約２１センチの本件ディスプレイ兼用箱であって、箱本体の側片の厚さ（ｃ）が約１．２センチ程度である場合には、蓋のそれぞれの二つの切込みは、長さ（ｄ）約１．５センチ、高さ（ｅ）約０．６センチ、幅（ｆ）約０．４センチ程度が好ましい。箱本体と蓋の切込みを、密接するように構成して、箱本体を蓋の切込みに固定することで、姿勢を維持する方法も考えられる。しかし、この方法によった場合、箱本体を蓋にはめたり外したりしているうちに、あるいは、長時間展示を継続している間に、蓋の切込みが劣化して割れたり、徐々に広がって大きくなったりして、箱本体が蓋の切込みに密接しなくなる。箱本体が蓋の切込みに密接しなくなると、三点支持によってバランスが取れるように構成されていないと、箱本体の姿勢を蓋の切込みで支えることができなくなるため、ディスプレイとして永続的に用いることができなくなる。したがって、本実施形態における発明は、蓋本体の切込みは、箱本体の厚さよりも大きく構成されていることが望ましい。
切込みは、蓋の各辺のどの位置に設置されていてもかまわない。したがって、図３に示すように、蓋の短辺と蓋の長辺に切込みを設置して、箱本体を立てかけるように構成することも可能である。略三点支持の場合には、箱本体を倒す方向の力が加わった場合には簡単に倒れて切込みに対する破壊力の印加を防ぐことができる。したがって、箱がより簡単に倒れる構造である図４に示す構造の方が、図５のａ、ｂ、ｃ、に示す構造よりも好ましい。
【００２０】
図４は、箱本体（０４０１）が蓋の切込み（０４０２）によって支えられている部分を拡大している概念図である。箱本体の展示面の裏側は、一方の切込みの角（０４０３）で接しており、箱本体の展示面裏側の底辺は、切込みの底の一部分（０４０４）で接しており、箱本体の展示面側底辺は、箱本体の展示面の裏側とは接していない方の切込みの縦辺の途中（０４０５）で接している。したがって、箱本体は傾斜した状態で接している三点によって支持されていることになる。このとき、箱本体の重心（０４０６）から、重力が図中のＶ１で示すように下方向に生じている。このＶ１の力を受けて、本来であれば箱本体は倒れるはずであるが、箱本体が切込みと接している点に発生している、箱本体を押し返す力Ｖ２及びＶ３の和であるＶ４と、点０４０３から箱本体が受ける力Ｖ０と、Ｖ１の力とが均等になることで、箱本体は倒れずに姿勢を維持する。
【００２１】
図２の例示に示したように、短辺（ａ）が約１１．５センチで、長辺（ｂ）が約２１センチの本件ディスプレイ兼用箱であって、箱本体の側片の厚さ（ｃ）が約１．２センチ、蓋のそれぞれの二つの切込みは、長さ（ｄ）約１．５センチ、高さ（ｅ）約０．６センチ、幅（ｆ）約０．４センチ程度の場合には、突設縁の突設部分は外周からの距離（ｇ）約０．４センチの位置に配置され、高さ（ｈ）約０．５センチ、幅（ｉ）約０．３センチ程度であることが好ましい。
【００２２】
箱本体と蓋の切込みが接する三点以外は、箱本体を傾斜した状態で維持していくことに関係していないことから、この部分はどのような形状になっていてもかまわない。例えば、図５ａに示すようにクの字状になっているものも考えられる。クの字で構成した場合にも、箱本体の幅よりも、クの字の幅のほうが大きくなるように構成しておくことが好ましい。クの字で構成したとしても、箱本体の展示面の裏側は、一方の切込みの角で接し、箱本体の展示面裏側の底辺は、切込みの底の一部分で接し、箱本体の展示面側底辺は、箱本体の展示面の裏側とは接していない方の切込みの縦辺の途中で接して、三点支持の状態となる。
この他に、図５ｂに示すように、箱本体の対象物収納領域側の、切込みと接している部分は、切込み部分にさらに設けられた凹みにはまるように構成されていてもよい。あるいは、図５ｃに示すように、切込み部分が、やすり加工になっている構成でもよい。凹みにはまるような構成や、やすり加工の構成の場合、箱本体と切込みが動きにくくなり、ちょっとした振動が与えられても箱本体が立てかけられた状態を図４に比して相対的に長く維持することが可能となる。
【００２３】
＜実施形態２＞
＜実施形態２  概要＞
本実施形態における発明は、二つの切込みが対抗側面に存在している、ディスプレイ兼用箱についての発明である。
【００２４】
＜実施形態２  発明の構成＞
実施形態２のディスプレイ兼用箱は、実施形態１において蓋の切込みが存在している二つの側面が、対抗する側面であるディスプレイ用兼用箱である。すなわち、二つの切込みは、一方の短辺と他方の短辺あるいは、一方の長辺と他方の長辺というように、平行する辺上に存在している。短辺と長辺に切込みを設置するような場合を含まない。二つの切込みは、対向側面上に、それぞれの切込みが対面するように設置されている必要はない。
【００２５】
＜実施形態３＞
＜実施形態３  概要＞
本実施形態における発明は、切込みの形状がコの字状であることを特徴とする、ディスプレイ兼用箱である。
【００２６】
＜実施形態３  発明の構成＞
実施形態３のディスプレイ兼用箱は、蓋の切込みがコの字状である。コの字状が、三点支持をする上で、最適な形状である。三点支持を行うためには、切込みが少なくとも三点を形成できる３つの辺を有している必要がある。コの字状は、三点を構成する上で必要最低限の３つの辺によって形成される形であるうえに、直角と直線のみを用いて加工することが可能であるから、加工がしやすく、二つの切込みの形状を統一させやすい。さらに、蓋に対する切込みが複雑かつ広域のものであると、蓋自体の強度を弱めてしまうが、コの字状は、最低限の要素で構成されているため、蓋自体の強度を不要に下げない。
【００２７】
＜実施形態４＞
＜実施形態４  概要＞
本実施形態における発明は、蓋の切込みに立てかけられた箱本体の側面線が、切込みの無い蓋の辺と平行の関係になることを内容とする、ディスプレイ兼用箱である。
【００２８】
＜実施形態４  発明の構成＞
実施形態４のディスプレイ兼用箱は、蓋の切込みが立てかけられた箱本体の側面線が箱本体が立てかけられていない蓋の側面線と平行関係になるように設けられている。すなわち、二つの切込みが対面すよう構成されている。したがって、例えば箱本体を立てかけた時に、図３に示すような状態にはならずに、図１に示すような状態になる。
【００２９】
＜実施形態５＞
＜実施形態５  概要＞
本実施形態における発明は、箱本体にディスプレイした対象物を保護するための保護シートが設置されていることを特徴とするディスプレイ兼用箱についての発明である。
【００３０】
＜実施形態５  発明の構成＞
実施形態５の発明は、図６に示すように、箱本体に入れられたディスプレイされる対象物を保護するための透明プラスティックカバーであって、図７に示すように、少なくとも箱本体と着脱するためのつまみ（０７０１）と、自信を箱本体に係止するための折り曲げ辺であって、箱本体に挿入された場合に箱本体内側面付勢される折り曲げ辺（０７０２）を有する、プラスティックカバーを有する。
展示しておくと、対象物に埃が付着して汚れたり、付着した埃を取り除くために掃除を行うことで微小な傷を表面に付けたりする原因となる。そこで、対象物を展示中の汚れ等から保護するために、透明なプラスティックカバーを被せることが考えられる。このプラスティックカバーは、自然に外れるような構成になっていると、結局展示中に気づくとプラスティックカバーが外れている、ということになって保護機能が不十分となるので、箱本体に固定されるように構成されていることが望ましい。
本実施形態では、折り曲げ辺が箱本体内側面に付勢されることによって、プラスティックカバーが落ちないようにしている。折り曲げ辺が小さすぎると、付勢する力が弱くなり、プラスティックカバーを箱本体に係止することができなくなる。箱本体の内側の高さが約１．２センチ程度の場合には、折り曲げ辺は約１センチ程度の幅のものであることが望ましい。
【００３１】
折り曲げ辺は、プラスティックカバーの少なくとも二辺に設置されていることが望ましい。付勢する効果を考えると、二辺は対面するように設置されていることが好ましい。プラスティックカバーを箱本体に係止させておく付勢の力を最大にするためには、折り曲げ辺はプラスティックカバーの四辺すべてに設置されていることが好ましい。
折り曲げ辺の形状は、プラスティックカバーの辺の長さに合わせた長いものでもよいし、一つの辺にたいして、いくつかの折り曲げ辺の間隔をあけて、あるいは間隔を開けないで設置してもよい。
【００３２】
つまみは、ディスプレイの面に飛び出すものであるから、あまり目立たない大きさになっていることが好ましい。つまむことができればいいので、横辺を約１センチ、縦辺を約０．５センチ程度の大きさで構成しておけば、ディスプレイ中に目立ちにくい。
つまみは、ディスプレイの面に出すことを避けたい場合には、折り曲げ辺のように折り曲げて箱の内側に隠すことができるように、やわらかい素材で構成しておくとよい。プラスティックカバーを構成するプラスティック素材の例としては、ＰＥＴ、ポリエチレン、ポリスチレン、アクリル樹脂、ＡＳ樹脂、ポリカーボネート、等が考えられる。展示の対象物の見え方に影響を与えないように、透明な素材であることが好ましいが、透明であれば色付きであっても構わない。保護シートに、紫外線を反射するような塗装を施すことによって、展示の対象物を光から保護することが可能となる。
【００３３】
＜実施形態６＞
＜実施形態６  概要＞
本実施形態における発明は、箱本体に蓋の内側と接する縁が設けられていることを特徴とする、ディスプレイ兼用箱についての発明である。
【００３４】
＜実施形態６  発明の構成＞
図８は、本実施形態のディスプレイ兼用箱が、ディスプレイとして用いられずに、箱として閉じられている状態の概念透視図及び概念断面図である。図８ａは、蓋をした状態の概念透視図であり、図８ｂは、箱を閉じた状態で切込み部分を断面とした概念断面である。図８ａ及び図８ｂに示すように、箱本体は開口が内側面側に突設縁（０８０２）を有し、蓋（０８０１）は、内側面が突設縁の外側面と接触することでとじられるように構成されている。
突設縁によって箱本体と蓋が固定されるので、本実施形態におけるディスプレイ兼用箱を持ち歩いても、さかさまにしても、落下させても、箱本体と蓋が分離することがなく、対象物が落下の衝撃等によって破損することを防ぐことができる。
突設縁の高さは、箱を固定することができるような高さであることが好ましい。例えば、蓋の内側の高さが約１センチである場合には、突設縁は約０．４センチにすることが考えられる。外側縁の高さが高すぎると、箱本体と蓋の固定が堅固になりすぎ、箱を開ける際に強い力を必要とする。そのため、箱を開けた際の衝撃で、箱の中にしまってあった対象物が飛び出して、落下によって破損する危険がある。そこで、外側縁の高さは、蓋の内側の高さの３分の１以上、３分の２以下の高さであることが好ましい。
【００３５】
突設縁は、箱本体の内側を一周全て囲むように設置されていてもよいが、一部分にのみ設置しておいてもよい。例えば、箱本体と蓋を固定する力が強い、四隅の全てあるいは一部分にＬ字状に設置すること等が考えられる。
突設縁は、ディスプレイとして箱本体を利用したさには、展示面となる側に設置されているものなので、あたかも額縁であるかのように見えるように細工を施して加工しておいてもよいし、色をつけるなどの加工を施して美的感得性を高めるように構成していてもよい。しかし、展示面としての機能を損なうような、見栄えを害する設置の仕方をすることは好ましくない。
【００３６】
図２の例示を用いて説明したように、短辺（ａ）が約１１．５センチで、長辺（ｂ）が約２１センチの本件ディスプレイ兼用箱であって、箱本体の側片の厚さ（ｃ）が約１．２センチ、蓋のそれぞれの二つの切込みは、長さ（ｄ）約１．５センチ、高さ（ｅ）約０．６センチ、幅（ｆ）約０．４センチ程度の場合には、突設縁の突設部分は外周からの距離（ｇ）約０．４センチの位置に配置され、高さ（ｈ）約０．５センチ、幅（ｉ）約０．３センチ程度であることが好ましい。
【００３７】
＜実施形態７＞
＜実施形態７  概要＞
本実施形態の発明は、突設によって蓋に設けられた切込みが塞がれるように構成されていることを特徴とする、ディスプレイ兼用箱である。
【００３８】
＜実施形態７  発明の構成＞
図９は、本実施形態におけるディスプレイ兼用箱の蓋を閉じた状態の、切込みがある側からの概念図である。図に示すように、箱本体の突設縁によって、箱に設けられた切込みの少なくとも一部は閉鎖されている。切込の一部が突設縁（０９０１）によって閉鎖されることによって、切込みの存在が箱を閉じている状態でも目立ち難くなる。さらに、箱本体の密封性も、突設縁がない状態で切込みが全面開いている状態に比べてずっと高くなり、箱の中に収納しておる対象物を湿気から保護する機能が高まる。
一方で、切込み部分があることによって、ここに指をかけて蓋部分を箱本体から分離しやすくなるので、突設縁によって密着度の高くなった箱本体と蓋を分離するのに必要とする力は弱くてよくなる。
【産業上の利用可能性】
【００３９】
本発明によって、傾斜のついた展示用棚を用意することなく、傾斜をつけた商品展示を行うことが可能となり、平積みしかできないような商品であっても容易に傾斜をつけて展示することが可能となる。さらに、傾斜をつけた展示棚を用意する必要がないことから、平積み用の棚の上に、平積みに適した商品と並べて傾斜をつけた展示をすることが可能となり、展示スペースの有効利用が可能となる。
【符号の説明】
【００４０】
０１０１  ディスプレイ兼用箱
０１０２  箱本体
０１０３  蓋
０１０４  対象物収納領域
【図１】
2019069802.tif 000003
【図２】
2019069802.tif 000004
【図３】
2019069802.tif 000005
【図４】
2019069802.tif 000006
【図５】
2019069802.tif 000007
【図６】
2019069802.tif 000008
【図７】
2019069802.tif 000009
【図８】
2019069802.tif 000010
【図９】
2019069802.tif 000011